(57)【要約】【課題】紙材で製作されているにもかかわらず強度的に優れた愛玩動物用柩を提供する。【解決手段】柩本体（２０）の２つの長辺側の外壁面（２１）及び短辺側の外壁面（２３）の一縁には各々底壁面構成片（２６，２７，２８，２９）を連続して設け、複数の底壁面構成片を相互に組み合わせることによって柩本体の底壁面（２５）を構成する。柩本体の長辺側の外壁面（２１）及び短辺側の外壁面（２３）の他縁には各々内壁面（２２，２４）を連続して設け、長辺側の内壁面及び短辺側の内壁面をその連続する外壁面側に折り返すとともに、隣接する内壁面の側縁を相互に競らせて折り返し状態に保持する。【選択図】  図３
2004329132.tif 000002
【特許請求の範囲】
【請求項１】
紙材を用いて製作され、上面が開口した直方体状の柩本体と該柩本体の上面に被せられてその開口を塞ぐ上蓋とから構成された愛玩動物用柩において、
上記柩本体の２つの長辺側の外壁面及び短辺側の外壁面の一縁には各々底壁面構成片が連続して設けられ、該複数の底壁面構成片が隣接する底壁面構成片を受けるように相互に組み合わされることによって上記柩本体の底壁面が構成されている一方、
上記柩本体の長辺側の外壁面及び短辺側の外壁面の他縁には各々内壁面が連続して設けられ、該長辺側の内壁面及び短辺側の内壁面はその連続する外壁面の内側に折り返されるとともに、隣接する内壁面の側縁が相互に競られて折り返し状態に保持されていることを特徴とする愛玩動物用柩。
【請求項２】
上記柩本体の底壁面上には少なくとも底壁面の１／２以上の大きさの底紙が敷かれている請求項１記載の愛玩動物用柩。
【請求項３】
上記上蓋の４つの側壁は蓋本体の４周縁に連続する外壁面と該外壁面に連続し外壁面の内側に折り返された内壁面とから構成され、隣接する内壁面の側縁が相互に競られて折り返し状態に保持されている請求項１記載の愛玩動物用柩。
【請求項４】
上記紙材が段ボール紙である請求項１記載の愛玩動物用柩。
【発明の詳細な説明】
【０００１】
【発明の属する技術分野】
本発明は愛玩動物用柩に関する。
【０００２】
【従来の技術】
最近、生活に潤いを持たせるべく、犬や猫等の愛玩動物を飼う人が多くなった。かかる愛玩動物が死亡した場合、亡骸をそのまま、あるいはタオルや毛布に包んで地中に埋葬するのが一般的であったが、最近は周囲に亡骸を埋める場所がなく、柩に納めて火葬することが行われている。
【０００３】
しかし、愛玩動物用の柩には適当なものがなく、段ボール箱や木箱が用いられていたが、飼い主の心情を満足させるようなものではなかった。
【０００４】
そこで、合成樹脂材料、紙材、木板等で製作した愛玩動物用の柩が種々提案されている（例えば、特許文献１、特許文献２、特許文献３、特許文献４、特許文献５、等参照）。
【０００５】
【特許文献１】特開平０８−１８２７１４号公報
【特許文献２】実開平０１−１５５７５７号公報
【特許文献３】実開平０５−６８５２２号公報
【特許文献３】実用新案登録第３０３６３３３号公報
【特許文献４】実用新案登録第３０６５０４５号公報
【特許文献５】実用新案登録第３０７０２９３号公報
【特許文献３】実開平０５−６８５２２号公報
【０００６】
ところで、合成樹脂製の柩は火葬時にダイオキシン等の有害物質が発生するおそれがあって好ましくない。また、木板製の柩は愛玩動物の飼い主に心理的な満足を与えるものの、森林資源の枯渇が大きな問題となっている今日においては火葬に適していない。これに対し、紙材製の柩は火葬に適した愛玩動物用の柩と言える。
【０００７】
【発明が解決しようとする課題】
しかし、上記従来公報（実開平０１−１５５７５７号公報）記載の紙材製の柩では基本的には板紙又は段ボール紙を原紙から打ち抜き、罫線で折り曲げて製作されたものであり、ドライアイス等の影響で湿気を含んだ場合や大きな愛玩動物の場合には強度的に不安であるという問題があった。
【０００８】
本発明はかかる問題点に鑑み、紙材で製作されているにもかかわらず強度的に優れた愛玩動物用柩を提供することを課題とする。
【０００９】
【課題を解決するための手段】
そこで、本発明に係る愛玩動物用柩は、紙材を用いて製作され、上面が開口した直方体状の柩本体と該柩本体の上面に被せられてその開口を塞ぐ上蓋とから構成された愛玩動物用柩において、上記柩本体の２つの長辺側の外壁面及び短辺側の外壁面の一縁には各々底壁面構成片が連続して設けられ、該複数の底壁面構成片が隣接する底壁面構成片を受けるように相互に組み合わされることによって上記柩本体の底壁面が構成されている一方、上記柩本体の長辺側の外壁面及び短辺側の外壁面の他縁には各々内壁面が連続して設けられ、該長辺側の内壁面及び短辺側の内壁面はその連続する外壁面の内側に折り返されるとともに、隣接する内壁面の側縁が相互に競られて折り返し状態に保持されるようになしたことを特徴とする。
【００１０】
本発明の特徴の１つは柩本体の側壁面を外壁面と内壁面とから構成し、内壁面の側縁を相互に競らせて折り返し状態に保持するようにした点にある。
【００１１】
これにより、柩本体を紙材で製作していても、その直方体形状としての強度は大幅に向上するので、大きな愛玩動物の亡骸を納めても、又柩本体が湿気を含んでも柩本体が壊れるおそれを解消できる。
【００１２】
柩本体の底壁面については底壁面構成片をその一部が相互に重なるように組み合わせる。その組合せ方によって底壁面の強度を確保できるが、不安な場合には底紙を敷くようにすれば、底壁面に加わる荷重が底紙によって分散されて底壁面に伝えられるので、柩本体の底壁の強度を確保できる。底紙は板紙でもよく、又段ボール紙でもよい。
【００１３】
底紙の大きさは荷重を底壁面に均一に分散する上で、底壁面の少なくとも１／２以上あればよい。即ち、柩本体の底壁面上には少なくとも底壁面の１／２以上の大きさの底紙が敷かれているのがよい。底紙は紙材であればよい。この底紙は柩本体の紙材と別体に形成してもよく、又いずれか１つの内壁面に連続して形成し、底壁面上に折り曲げるようにしてもよい。
【００１４】
他方、上蓋は柩本体の上面に被せられるものであればよいが、四周縁に側壁面を有する形状が好ましく、この側壁面も強度を確保する上で二重構造とするのがよい。
【００１５】
即ち、上蓋の４つの側壁は蓋本体の４周縁に連続する外壁面と該外壁面に連続し外壁面側に折り返された内壁面とから構成され、隣接する内壁面の側縁が相互に競られて折り返し状態に保持されているのがよい。
【００１６】
紙材は例えば板紙でもよいが、大きな強度が得られる段ボール紙を用いるのがよい。ここで、段ボール紙とは表裏のライナーの間、又は表裏いずれか一方のライナーに波状の中芯を接着した構造のものをいう。
【００１７】
【発明の実施の形態】
以下、本発明を図面に示す具体例に基づいて詳細に説明する。図１ないし図６は本発明に係る愛玩動物用柩の好ましい実施形態を示す。図において、愛玩動物用の柩１０は段ボール紙を用いて製作され、上面の開口した直方体形状の柩本体２０と柩本体２０の上面に被せられてその開口を塞ぐ上蓋３０とから構成されている。
【００１８】
柩本体２０の２つの長辺側の側壁及び短辺側の側壁は各々外壁面２１、２３と外壁面２１、２３の他縁側に連続する内壁面２２、２４とから構成されている。
【００１９】
柩本体２０の内壁面２２、２４は各々連続する外壁面２１、２３の内側に折り返され、横方向に隣接する内壁面２２、２４はその側縁を相互に競らせるとともに長辺側の内壁面２２の突起部２２Ａをコーナー部分に押し込むことによって折り返し状態を保持されている。
【００２０】
また、柩本体２０の４つの外壁面２１，２３の一縁側には底壁面構成片２６〜２９が連続して形成され、各底壁面構成片２６〜２９は一部が重なるように、即ち隣接する構成片を受けるように相互に組み合わされることによって相互に接続され、これによって柩本体２０の底壁面２５が構成されている。
【００２１】
柩本体２０の底壁面２５上にはほぼ同じ大きさの段ボール紙製又は板紙製の底紙４０が敷かれている。この底紙４０は柩本体２０の紙材と別体に形成しているが、いずれか１つの内壁面２２、２４に連続して形成し、底壁面２５上に折り曲げるようにしてもよい。
【００２２】
他方、上蓋３０は四角形状の蓋本体３１の４周縁に連続する外壁面３２、３４と外壁面３２、３４の外方に連続する内壁面３３、３５から構成されている。
【００２３】
上蓋３０の内壁面３３、３５はその連続する外壁面３２、３４の内側に折り返され、横方向に隣接する内壁面３３、３５はその側縁を相互に競らせるとともに長辺側の外壁面３２及び内壁面３４の突片部３６を短辺側の外壁面３３と内壁面３５との間に差し込むことによって折り返し状態を保持されている。
【００２４】
また、上蓋３０の蓋本体３１の表面（必要に応じて柩本体２０の外壁面２１、２３）には愛玩動物の柩であることを連想させる模様、例えば図２に示される模様を描くようにしてもよい。
【００２５】
本例の愛玩動物用柩１０を製造する場合、段ホール原紙から図４及び図５に示す柩本体素形材、図６に示される上蓋素形材を打ち抜くとともに、柩本体素形材及び上蓋素形材には罫線を入れる。柩本体素形材は側壁面が二重になっており、段ボール原紙から１つの素形材として打ち抜くのが難しいことから、半分に分割して打ち抜くようにしている。
【００２６】
こうして素形材が得られると、２つの柩本体素形材を各々罫線２１１で２つに折り曲げ、糊代２１０を他方の素形材の短辺側外壁面２３に糊付けすると、平坦に折り畳まれた柩本体１０が得られる。したがって、この平坦な柩本体１０と組立て前の上蓋素形材とを重ねてもそれほど嵩張らないので、持ち運びや保管に便利である。
【００２７】
愛玩動物が亡くなった場合、平坦な柩本体１０を取り出し、２つの外壁面２１、２３が四角形状になるように曲げ起こし、底壁面構成片２６〜２９をその一部が重なるように組付けると、強固な底壁面２５が構成できる。
【００２８】
次に、内壁面２２，２４をその外壁面２１、２３の内側に折り曲げ、隣接する内壁面２２、２４の側縁を相互に競らせるとともに、突起部２２Ａをコーナー部分に押し込むと、内壁面２２、２４は折り曲げ状態に保持される。その後、柩本体２０の底壁面２５上に底紙４０を敷く。
【００２９】
他方，上蓋３０については外壁面３２、３４を蓋本体３１に対して起立させ、短辺側の内壁面３５をその外壁面３４の内側に折り曲げた後、長辺側の内壁面３３をその外壁面３２の内側に折り曲げて隣接する内壁面３３、３４の側縁を競らせるとともに、長辺側の内壁面３３の突片部３６を短辺側の外壁面３４と内壁面３５との間に差し込むことによって内壁面３３、３５は折り曲げ状態に保持される。
【００３０】
こうして柩本体２０及び上蓋３０が組立てられると、柩本体２０内に愛玩動物の亡骸を納め、周囲に生花や思い出の品を入れ、上蓋３０を被せて塞ぎ、火葬するようにすればよい。
【００３１】
その際、段ボール紙を用い、柩本体２０の側壁面を二重に構成しているので、その直方体形状としての強度は高い。
【００３２】
しかも、柩本体２０の底壁面２５上には底紙４０を敷くようにしているので、底壁面２５に加わる荷重は底紙４０によって分散されて底壁面２５に伝わり、柩本体２０の底壁の強度も高い。
【００３３】
その結果、大きな愛玩動物の亡骸を納めても、又柩本体２０が湿気を含んでいても、柩本体２０が壊れることはない。したがって、愛玩動物の亡骸を安心して柩１０に納めることができる。
【００３４】
なお、上記実施形態では底紙４０を柩本体素形材と別体に製作したが、いずれか一方の柩本体素形材の内壁面に連続して形成し、底壁面上に折り曲げるようにしてもよい。
【図面の簡単な説明】
【図１】本発明に係る愛玩動物用柩の好ましい実施形態における概略斜視図である。
【図２】上記実施形態における上蓋３０の模様例を示す図である。
【図３】上記実施形態における柩本体２０及び上蓋３０の構造を説明するための図である。
【図４】上記実施形態における柩本体素形材の一方を示す図である。
【図５】上記実施形態における柩本体素形材の他方を示す図である。
【図６】上記実施形態における上蓋素形材を示す図である。
【符号の説明】
１０      愛玩動物用柩
２０      柩本体
２１、２３      外壁面
２２、２４      内壁面
３０      上蓋
３１      蓋本体
３２、３４      外壁面
３３、３５      内壁面
４０      底紙
【図１】
2004329132.tif 000003
【図２】
2004329132.tif 000004
【図３】
2004329132.tif 000005
【図４】
2004329132.tif 000006
【図５】
2004329132.tif 000007
【図６】
2004329132.tif 000008